(57)【特許請求の範囲】
【請求項１】
パケット通信機能を有し、相手方との接続が完了してから行う文字通話が可能な移動端末器に用いるリダイヤル装置であって、
相手方と文字通話を開始するために発呼した場合であって、相手方が通話中である、相手方が通話可能圏外である、または、相手方が電源オフであるため、相手方と接続して文字通話を開始することができない場合に、文字通話の開始のために確立したパケット通信チャネルを切断することなく、確立した状態で保持しておくコントローラを備え、
前記コントローラは、前記パケット通信チャネルを確立した状態を保持したままで、文字通話開始のために相手方と接続する要求としてのリダイヤルを実行可能であることを特徴とするリダイヤル装置。
【請求項２】
前記コントローラは、予め設定されたパケット通信量を越えない範囲、予め設定されたリダイヤルの回数を越えない範囲、または、予め設定されたリダイヤルの時間を越えない範囲において、リダイヤルを繰り返すことを特徴とする請求項１に記載のリダイヤル装置。
【請求項３】
前記コントローラは、相手方と文字通話を開始するために発呼した場合であって、相手方が通話中である、相手方が通話可能圏外である、または、相手方が電源オフであるため、相手方と接続して文字通話を開始することができない場合に、前記リダイヤルを行うか否かをユーザーに対して問い合わせる機能を有していることを特徴とする請求項１に記載のリダイヤル装置。
【請求項４】
前記コントローラは、前記ユーザーがリダイヤルを行うことを選択した場合には、予め設定されたパケット通信量を越えない範囲、予め設定されたリダイヤルの回数を越えない範囲、または、予め設定されたリダイヤルの時間を越えない範囲において、リダイヤルを繰り返すことを特徴とする請求項３に記載のリダイヤル装置。
【請求項５】
前記コントローラは、前記ユーザーがリダイヤルを行わないことを選択した場合には、前記パケット通信チャネルを切断することを特徴とする請求項３に記載のリダイヤル装置。
【請求項６】
前記コントローラは、リダイヤルに要したパケット通信量が予め設定されたパケット通信量を越えた場合、リダイヤルの回数が予め設定されたリダイヤルの回数を越えた場合、または、リダイヤルに要した時間が予め設定された時間を越えた場合であっても、相手方が文字通話中であるとき、相手方が通話可能圏外であるとき、または、相手方が電源オフであるときには、前記パケット通信チャネルを切断するものであることを特徴とする請求項２または４に記載のリダイヤル装置。
【請求項７】
前記コントローラは、前記パケット通信チャネルを切断するときは、ユーザーにその旨を通知することを特徴とする請求項６に記載のリダイヤル装置。
【請求項８】
パケット通信機能を有し、相手方との接続が完了してから行う文字通話が可能な移動端末器におけるリダイヤルの方法であって、
相手方と文字通話を開始するために、発呼し、ネットワークとの間でパケット通信チャネルを確立する第１の過程と、
相手方が通話中である、相手方が通話可能圏外である、または、相手方が電源オフであるため、相手方と接続して文字通話を開始することができない場合に、文字通話の開始のために確立したパケット通信チャネルを切断することなく、確立した状態で保持しておく第２の過程と、
前記パケット通信チャネルを確立した状態を保持したままで、文字通話開始のために相手方と接続する要求としてのリダイヤルを行う第３の過程と、
を備えるリダイヤル方法。
【請求項９】
前記第３の過程では、予め設定されたパケット通信量を越えない範囲、予め設定されたリダイヤルの回数を越えない範囲、または、予め設定されたリダイヤルの時間を越えない範囲において、リダイヤルを繰り返すことを特徴とする請求項８に記載のリダイヤル方法。
【請求項１０】
パケット通信機能を有し、相手方との接続が完了してから行う文字通話が可能な移動端末器におけるリダイヤルの方法であって、
相手方と文字通話を開始するために、発呼し、ネットワークとの間でパケット通信チャネルを確立する第１の過程と、
相手方が通話中である、相手方が通話可能圏外である、または、相手方が電源オフであるため、相手方と接続して文字通話を開始することができない場合に、文字通話の開始のために確立したパケット通信チャネルを切断することなく、確立した状態で保持しておく第２の過程と、
相手方が通話中である、相手方が通話可能圏外である、または、相手方が電源オフであるため、相手方と接続して文字通話を開始することができない場合に、文字通話開始のために相手方と接続する要求としてのリダイヤルを行うか否かをユーザーに対して問い合わせる第３の過程と、
ユーザーがリダイヤルを行うことを選択した場合に、前記パケット通信チャネルを確立した状態を保持したままで、前記リダイヤルを行う第４の過程と、
を備えるリダイヤル方法。
【請求項１１】
前記第４の過程では、予め設定されたパケット通信量を越えない範囲、予め設定されたリダイヤルの回数を越えない範囲、または、予め設定されたリダイヤルの時間を越えない範囲において、リダイヤルを繰り返すことを特徴とする請求項１０に記載のリダイヤル方法。
【請求項１２】
前記ユーザーがリダイヤルを行わないことを選択した場合には、前記第４の過程を行わずに前記パケット通信チャネルを切断する過程をさらに備えることを特徴とする請求項１０に記載のリダイヤル方法。
【請求項１３】
リダイヤルに要したパケット通信量が予め設定されたパケット通信量を越えた場合、リダイヤルの回数が予め設定されたリダイヤルの回数を越えた場合、または、リダイヤルに要した時間が予め設定された時間を越えた場合であっても、相手方が文字通話中であるとき、相手方が通話可能圏外であるとき、または、相手方が電源オフであるときには、前記パケット通信チャネルを切断する過程をさらに備えることを特徴とする請求項９または１１に記載のリダイヤル方法。
【請求項１４】
前記パケット通信チャネルを切断するときは、ユーザーにその旨を通知する過程をさらに備えることを特徴とする請求項１３に記載のリダイヤル方法。
【請求項１５】
パケット通信機能を有し、相手方との接続が完了してから行う文字通話が可能な移動端末器におけるリダイヤルの方法をコンピュータに実行させるためのプログラムであって、
前記プログラムが行う処理は、
相手方と文字通話を開始するために、発呼し、ネットワークとの間でパケット通信チャネルを確立する第１の処理と、
相手方が通話中である、相手方が通話可能圏外である、または、相手方が電源オフであるため、相手方と接続して文字通話を開始することができない場合に、文字通話の開始のために確立したパケット通信チャネルを切断することなく、確立した状態で保持しておく第２の処理と、
前記パケット通信チャネルを確立した状態を保持したままで、文字通話開始のために相手方と接続する要求としてのリダイヤルを行う第３の処理と、
からなるものであるプログラム。
【請求項１６】
前記第３の処理では、予め設定されたパケット通信量を越えない範囲、予め設定されたリダイヤルの回数を越えない範囲、または、予め設定されたリダイヤルの時間を越えない範囲において、リダイヤルを繰り返すことを特徴とする請求項１５に記載のプログラム。
【請求項１７】
パケット通信機能を有し、相手方との接続が完了してから行う文字通話が可能な移動端末器におけるリダイヤルの方法をコンピュータに実行させるためのプログラムであって、
前記プログラムが行う処理は、
相手方と文字通話を開始するために、発呼し、ネットワークとの間でパケット通信チャネルを確立する第１の処理と、
相手方が通話中である、相手方が通話可能圏外である、または、相手方が電源オフであるため、相手方と接続して文字通話を開始することができない場合に、文字通話の開始のために確立したパケット通信チャネルを切断することなく、確立した状態で保持しておく第２の処理と、
相手方が通話中である、相手方が通話可能圏外である、または、相手方が電源オフであるため、相手方と接続して文字通話を開始することができない場合に、文字通話開始のために相手方と接続する要求としてのリダイヤルを行うか否かをユーザーに対して問い合わせる第３の処理と、
ユーザーがリダイヤルを行うことを選択した場合に、前記パケット通信チャネルを確立した状態を保持したままで、前記リダイヤルを行う第４の処理と、
からなるものであるプログラム。
【請求項１８】
前記第４の処理では、予め設定されたパケット通信量を越えない範囲、予め設定されたリダイヤルの回数を越えない範囲、または、予め設定されたリダイヤルの時間を越えない範囲において、リダイヤルを繰り返すことを特徴とする請求項１７に記載のプログラム。
【請求項１９】
前記処理は、前記ユーザーがリダイヤルを行わないことを選択した場合には、前記第４の処理を行わずに前記パケット通信チャネルを切断する処理をさらに含むことを特徴とする請求項１７に記載のプログラム。
【請求項２０】
前記処理は、リダイヤルに要したパケット通信量が予め設定されたパケット通信量を越えた場合、リダイヤルの回数が予め設定されたリダイヤルの回数を越えた場合、または、リダイヤルに要した時間が予め設定された時間を越えた場合であっても、相手方が文字通話中であるとき、相手方が通話可能圏外であるとき、または、相手方が電源オフであるときには、前記パケット通信チャネルを切断する処理をさらに含むことを特徴とする請求項１６または１８に記載のプログラム。
【請求項２１】
前記処理は、前記パケット通信チャネルを切断するときは、ユーザーにその旨を通知する処理をさらに含むことを特徴とする請求項２０に記載のプログラム。
【請求項２２】
請求項１５乃至２１の何れか一項に記載のプログラムを記憶したコンピュータ読み取り可能な記憶媒体。
【請求項２３】
請求項１乃至７の何れか一項に記載のリダイヤル装置を備えることを特徴とする移動端末器。
【発明の詳細な説明】
【０００１】
【発明の属する技術分野】
本発明は、パケット通信チャネル機能を有する移動端末器に用いられるリダイヤル装置及びパケット通信チャネル機能を有する移動端末器におけるリダイヤル方法に関する。
【０００２】
【従来の技術】
移動端末器を介して相手方と文字通話を開始する場合、自らの移動端末器と相手方の端末器との間に網を介してパケット通信チャネルを確立しなければならない。
【０００３】
従来、移動端末器により相手方と文字通話を開始するために発呼した場合であって、相手方が通話中であった時には、移動端末器は網との間に確立しているパケット通信チャネルを一旦切断していた。この後、再び相手方と文字通話を開始しようとする場合には、ユーザーが再び発呼動作を行い、網との間にパケット通信チャネルを確立しなければならなかった。
【０００４】
【発明が解決しようとする課題】
このように、従来は、再発呼に際しては、ユーザーにとっては手間がかかり、さらに、パケット通信料もその分かかってしまっていた。
【０００５】
本発明はこのような問題点に鑑みてなされたものであり、移動端末器により相手方と文字通話を開始するために発呼した場合であって、相手方が通話中であった時に、ユーザーに手間をとらすことなく、相手方に対してリダイヤルを行う移動端末器用のリダイヤル装置及びリダイヤル方法を提供することを目的とする。
【０００６】
さらには、そのようなリダイヤルを可能にするプログラムを提供することを目的とする。
【０００７】
【課題を解決するための手段】
この目的を達成するため、本発明は、パケット通信機能を有し、相手方との接続が完了してから行う文字通話が可能な移動端末器に用いるリダイヤル装置であって、相手方と文字通話を開始するために発呼した場合であって、相手方が通話中である、相手方が通話可能圏外である、または、相手方が電源オフであるため、相手方と接続して文字通話を開始することができない場合に、文字通話の開始のために確立したパケット通信チャネルを切断することなく、確立した状態で保持しておくコントローラを備え、前記コントローラは、前記パケット通信チャネルを確立した状態を保持したままで、文字通話開始のために相手方と接続する要求としてのリダイヤルを実行可能であることを特徴とするリダイヤル装置を提供する。
【０００８】
本発明に係るリダイヤル装置によれば、パケット通信機能を有し、相手方との接続が完了してから行う文字通話（チャット）が可能な移動端末同士において、文字通話を開始すべく発呼した相手が通話中、通話可能圏外、または、電源オフであるため、相手方と接続して文字通話を開始することができない場合、文字通話開始のために確立されているパケット通信チャネルは切断されずに確保したままの状態にされる。更に、その場合、パケット通信チャネルを確立した状態を保持したままで、文字通話開始のために相手方と接続する要求としてのリダイヤルが行われるので、ユーザーは自ら再発呼するなく、文字通話を開始することが可能になる。
【０００９】
さらに、新たに回線を接続するために要する網とのデータ送受信分を削減できるため、通信料も削減することができる
また、コントローラは、予め設定されたパケット通信量を越えない範囲、予め設定されたリダイヤルの回数を越えない範囲、または、予め設定されたリダイヤルの時間を越えない範囲において、リダイヤルを繰り返すように設定することができる。
【００１１】
コントローラは、相手方と文字通話を開始するために発呼した場合であって、相手方が通話中である、相手方が通話可能圏外である、または、相手方が電源オフであるため、相手方と接続して文字通話を開始することができない場合に、前記リダイヤルを行うか否かをユーザーに対して問い合わせる機能を有するように構成することができる。
【００１２】
これにより、ユーザーの意図に従って、リダイヤル機能を実行するか否かが決定される。
【００１３】
ユーザーがリダイヤルを行うことを選択した場合には、コントローラは、予め設定されたパケット通信量を越えない範囲、予め設定されたリダイヤルの回数を越えない範囲、または、予め設定されたリダイヤルの時間を越えない範囲において、リダイヤルを繰り返すように構成することができる。
【００１４】
ユーザーがリダイヤルを行わないことを選択した場合には、コントローラは、パケット通信チャネルを切断するように構成することができる。
【００１５】
コントローラは、リダイヤルに要したパケット通信量が予め設定されたパケット通信量を越えた場合、リダイヤルの回数が予め設定されたリダイヤルの回数を越えた場合、または、リダイヤルに要した時間が予め設定された時間を越えた場合であっても、相手方が文字通話中であるとき、相手方が通話可能圏外であるとき、または、相手方が電源オフであるときには、パケット通信チャネルを切断するように構成することができる。
【００１６】
また、コントローラは、パケット通信チャネルを切断するときは、ユーザーにその旨を通知するように構成することができる。
【００１７】
さらに、本発明は、パケット通信機能を有し、相手方との接続が完了してから行う文字通話が可能な移動端末器におけるリダイヤルの方法であって、相手方と文字通話を開始するために、発呼し、ネットワークとの間でパケット通信チャネルを確立する第１の過程と、相手方が通話中である、相手方が通話可能圏外である、または、相手方が電源オフであるため、相手方と接続して文字通話を開始することができない場合に、文字通話の開始のために確立したパケット通信チャネルを切断することなく、確立した状態で保持しておく第２の過程と、前記パケット通信チャネルを確立した状態を保持したままで、文字通話開始のために相手方と接続する要求としてのリダイヤルを行う第３の過程と、を備えるリダイヤル方法を提供する。
【００１８】
前記第３の過程では、予め設定されたパケット通信量を越えない範囲、予め設定されたリダイヤルの回数を越えない範囲、または、予め設定されたリダイヤルの時間を越えない範囲において、リダイヤルを繰り返すことが好ましい。
【００１９】
さらに、本発明は、パケット通信機能を有し、相手方との接続が完了してから行う文字通話が可能な移動端末器におけるリダイヤルの方法であって、相手方と文字通話を開始するために、発呼し、ネットワークとの間でパケット通信チャネルを確立する第１の過程と、相手方が通話中である、相手方が通話可能圏外である、または、相手方が電源オフであるため、相手方と接続して文字通話を開始することができない場合に、文字通話の開始のために確立したパケット通信チャネルを切断することなく、確立した状態で保持しておく第２の過程と、相手方が通話中である、相手方が通話可能圏外である、または、相手方が電源オフであるため、相手方と接続して文字通話を開始することができない場合に、文字通話開始のために相手方と接続する要求としてのリダイヤルを行うか否かをユーザーに対して問い合わせる第３の過程と、ユーザーがリダイヤルを行うことを選択した場合に、前記パケット通信チャネルを確立した状態を保持したままで、前記リダイヤルを行う第４の過程と、を備えるリダイヤル方法を提供する。
【００２０】
この場合、前記第４の過程では、予め設定されたパケット通信量を越えない範囲、予め設定されたリダイヤルの回数を越えない範囲、または、予め設定されたリダイヤルの時間を越えない範囲において、リダイヤルを繰り返すことが好ましい。
【００２１】
また、本リダイヤル方法は、前記ユーザーがリダイヤルを行わないことを選択した場合には、前記第４の過程を行わずに前記パケット通信チャネルを切断する過程をさらに備えるようにすることができる。
【００２２】
本リダイヤル方法は、リダイヤルに要したパケット通信量が予め設定されたパケット通信量を越えた場合、リダイヤルの回数が予め設定されたリダイヤルの回数を越えた場合、または、リダイヤルに要した時間が予め設定された時間を越えた場合であっても、相手方が文字通話中であるとき、相手方が通話可能圏外であるとき、または、相手方が電源オフであるときには、パケット通信チャネルを切断する過程をさらに備えることが好ましい。
【００２３】
本リダイヤル方法は、パケット通信チャネルを切断するときは、ユーザーにその旨を通知する過程をさらに備えることが好ましい。
【００２４】
本発明は、さらに、パケット通信機能を有する移動端末器における、上述のようなリダイヤルの方法をコンピュータに実行させるためのプログラムを提供する。また、本発明は、そのようなプログラムを記憶したコンピュータ読み取り可能な記憶媒体を提供する。
【００２５】
本発明は、さらに、上述のようなリダイヤル装置を備える移動端末器を提供する。
【００２６】
【発明の実施の形態】
図１は、本発明の第１の実施形態に係るリダイヤル装置を組み込んだ移動端末器の構成を示すブロック図である。本実施形態に係るリダイヤル装置は、パケット通信機能を有する移動端末器に組み込んで用いられる。
【００２７】
図１に示すように、本実施形態に係るリダイヤル装置を組み込んだ移動端末器１００は、網とデータの送受信を行うアンテナ１１０と、アンテナ１１０を介して送信する、あるいは、受信されたデータを変調する変調部１２０と、リダイヤル装置の作動を制御する制御部１３０と、アドレス帳を記憶するデータ貯蓄部１４０と、制御部１３０からの信号に応じて音声を発し、ユーザーに通知を行う呼出し部１５０と、ユーザーが制御部１３０にデータを入力するための操作部１６０と、操作部１６０から打ち込んだデータや受信したデータを表示する表示部１７０と、を備えている。
【００２８】
さらに、制御部１３０は、リダイヤル装置が組み込まれている移動端末器１００の文字通話を制御する文字通話機能制御部１３１と、自動リダイヤル機能を制御するとともに、リダイヤル時に通信するパケット量及びリダイヤルの間隔に関するデータを保存するリダイヤル機能設定部１３２と、リダイヤル時のパケット通信量をカウントするパケット量カウンタ１３３と、を備えている。
【００２９】
この制御部１３０が本実施形態に係るリダイヤル装置を構成している。
【００３０】
本実施形態に係るリダイヤル装置は、パケット通信機能を有し、文字通話（チャット）可能な移動端末器に対して有効である。
【００３１】
図２は、本実施形態に係るリダイヤル装置を組み込んだ移動端末器１００の動作を示すフローチャートである。
【００３２】
以下、図２を参照して、本実施形態に係るリダイヤル装置を組み込んだ移動端末器１００の動作を説明する。
【００３３】
先ず、第１ユーザー１は第２ユーザーとの文字通話を開始する場合には、第１ユーザーは操作部１６０を介して文字通話開始のための所定の操作を行う。
【００３４】
この後、文字通話機能制御部１３１は送信データを変調部１２０においてＤ／Ａ変換した後、アンテナ１１０を介して、網側に送信する。すなわち、発呼を行う（ステップＡ１）。
【００３５】
次いで、第１ユーザーの移動端末器１００はアンテナ１１０を介して網との間でパケット通信チャネルを確立し、仮想回線接続する（ステップＡ２）。
【００３６】
次いで、第１ユーザーの移動端末器１００はサーバへログインするためのデータと第２ユーザーの移動端末器のメールアドレスその他のデータを送信し、サーバにログインする（ステップＡ３）。
【００３７】
移動端末器が１００がサーバにログインした後、サーバは第２ユーザーの移動端末器への接続を試みる（ステップＡ４）。
【００３８】
次いで、サーバは、第２ユーザーの移動端末器が通話中か否か、すなわち、第２ユーザーの移動端末器が接続可能か否かを判定する（ステップＡ５）。
【００３９】
サーバは、第２ユーザーの移動端末器と接続可能である旨の通知を網を介して第１ユーザーの移動端末器１００に送信した後（ステップＡ５のＮＯ）、第１ユーザーの移動端末器１００を第２ユーザーの移動端末器に接続する（ステップＡ９）。
【００４０】
次いで、網は第１ユーザーの移動端末器１００と第２ユーザーの移動端末器との接続が完了した旨を第１ユーザーの移動端末器１００に送信する。
【００４１】
第１ユーザーの移動端末器１００の文字通話機能制御部１３１は、アンテナ１１０を介して網からの通知を受信した後、変調部１２０よりデータをＡ／Ｄ変換し、呼出し部１５０及び表示部１７０を介して、文字通話開始の準備完了を第１ユーザーに通知し、文字通話を開始する（ステップＡ１０）。
【００４２】
一方、第２ユーザーの移動端末器が文字通話中であった旨が網より第１ユーザーの移動端末器１００に送信された場合には（ステップＡ５のＹＥＳ）、制御部１３０内のリダイヤル機能設定部１３２が起動し、表示部１７０を介して、自動リダイヤル機能を行使するか否かを第１ユーザーに質問する（ステップＡ６）。
【００４３】
この質問に対して、第１ユーザーは、操作部１６０を介して、リダイヤル機能を設定する、または、設定しないの何れかの回答を入力する。
【００４４】
第１ユーザーがリダイヤル機能を設定しないことを選択した場合には（ステップＡ６のＮＯ）、文字通話機能制御部１３１がパケット通信チャネルを切断するための信号をアンテナ１１０から網へ向けて発信し、パケット通信チャネルを切断させる。これにより、第１ユーザーの移動端末器１００の動作を終了する（ステップＡ１１）。
【００４５】
第１ユーザーがリダイヤル機能を設定することを選択した場合には（ステップＡ６のＹＥＳ）、文字通話機能制御部１３１は、リダイヤルによって消費可能なパケット通信量を予め設定されているパケット通信量のままとするか、あるいは、新たに設定するかを表示部１７０を介して第１ユーザーに質問する。
【００４６】
この質問に対して、第１ユーザーは、予め設定されているパケット通信量または新たに設定するパケット通信量の何れかを選択する。新たに設定するパケット通信量を選択した場合には、操作部１６０を介して、新たに設定するパケット通信量の数値を入力する。このようにして設定されたリダイヤルにより消費可能なパケット通信量をｎとする（ステップＡ７）。
【００４７】
この間、文字通話機能制御部１３１は第１ユーザーの移動端末器と網との間で確立されたパケット通信チャネルを切断することなく、維持する。
【００４８】
次いで、文字通話機能制御部１３１は第２ユーザーの移動端末器と接続するためのデータをサーバに送信する。データ受信後、サーバは第２ユーザーの移動端末器に対して呼出を行う（ステップＡ８）。
【００４９】
次いで、サーバは、第２ユーザーの移動端末器が通話中か否か、すなわち、第２ユーザーの移動端末器が接続可能か否かを判定する（ステップＡ１２）。
【００５０】
網を介して送信されてくるサーバからの応答が、第２ユーザーの移動端末器と接続可能であった場合には（ステップＡ１２のＮＯ）、サーバは第１ユーザーの移動端末器１００と第２ユーザーの移動端末器とを接続し（ステップＡ９）、文字通話を開始する（ステップＡ１０）。
【００５１】
一方、第２ユーザーの移動端末器が文字通話状態であった場合には（ステップＡ１２のＹＥＳ）、文字通話機能制御部１３１は、パケット量カウンタ１３３がカウントしているリダイヤルによるパケット通信量ＮがステップＡ７において設定されたパケット通信量ｎ以上であるかか否かを判定する（ステップＡ１３）。
【００５２】
実際のリダイヤルによるパケット通信量Ｎが限度パケット通信量ｎより少ない場合（Ｎ＜ｎ）には、ステップＡ８に戻り、再度、第２ユーザーの移動端末器との接続を試みる。
【００５３】
パケット通信量Ｎが限度パケット通信量ｎと同一または限度パケット通信量ｎ以上になった場合には（Ｎ≧ｎ）、リダイヤル機能設定部１３２及び文字通話機能制御部１３１は、呼出し部１５０及び表示部１７０を介して、第１ユーザーにその旨を通知し、確立しているパケット通信チャネルを切断し、一連の動作を終了する（ステップＡ１１）。
【００５４】
図３は、本実施形態に係るリダイヤル装置により、リダイヤルを行う場合の第１ユーザーの移動端末器１００、移動端末器１００の基地局１０１、サーバ、第２ユーザーの移動端末器２００、第２ユーザーの移動端末器の基地局２０１における動作の進行を時系列的に示すタイミングチャートである。
【００５５】
第１ユーザーの移動端末器１００が第２ユーザーの移動端末器２００と文字通話を開始するために、移動端末器２００に対して発呼する際には、移動端末器１００はパケット通信登録要求を基地局１０１へ向け発信する（ステップ３０１）。
【００５６】
次いで、基地局１０１は移動端末１００に対してパケット通信登録応答を送る（ステップ３０２）。
【００５７】
パケット通信登録応答を受信した移動端末器１００は仮想回線接続要求を基地局１０１へ発信し（ステップ３０３）、基地局１０１から仮想回線接続要求を受信する（ステップ３０４）。
【００５８】
これにより、移動端末１００と基地局１０１との間における回線の確立が完了し、移動端末器１００はサーバにログインするためのデータや文字通話する相手である移動端末器２００のメールアドレス等を基地局１０１に送信する（ステップ３０５）。
【００５９】
基地局１０１は受信したデータをサーバに送信し（ステップ３１１）、移動端末器１００をログインさせ、移動端末器２００との接続を試みる。
【００６０】
しかし、この時、移動端末器２００は他の相手と文字通話中であるため、サーバは移動端末器１００と移動端末器２００とを接続できない。
【００６１】
移動端末器２００が通話中である旨の通知をサーバから受信した基地局１０１は（ステップ３１２）、移動端末器１００に、移動端末器２００が通話中であることを通知する（ステップ３０６）。
【００６２】
ここで、第１ユーザーは自動リダイヤルにより消費可能な限度パケット通信量をｎに設定したものとする。
【００６３】
移動端末器１００は、パケット通信量ｎの設定後、１回目のリダイヤルを実行する（ステップ３０７）。
【００６４】
ここで、基地局１０１は、再度、サーバに対して、移動端末器１００と移動端末器２００の接続を要求するが（ステップ３１３）、この時もまだ移動端末器２００は通話中であるため、サーバから、移動端末器２００が通話中であり、接続不可能の通知を受信する（ステップ３１４）。
【００６５】
基地局１０１はその結果を移動端末器１００に送信する（ステップ３０８）。
【００６６】
移動端末器２００が通話中である限り、この動作（ステップ３０７、３１３、３１４、３０８）が一定の間隔で繰り返される。
【００６７】
リダイヤルによる実際のパケット通信量Ｎが限度パケット通信量ｎを超えない範囲における何回目かのリダイヤルまでに、移動端末器２００が通話を終了していた場合には（ステップ３０９、３１５）、サーバは、移動端末器１００と移動端末器２００とを接続させるために、基地局２０１に対して、移動端末器２００との通信確立を要請する（ステップ３２１）。
【００６８】
基地局２０１は、第２ユーザーの移動端末器２００を探すために、ページングを投げる（ステップ３３１）。
【００６９】
ページングされた移動端末器２００は基地局２０１に対してパケット通信登録要求を発信し（ステップ３３２）、このパケット通信登録要求を受信した基地局２０１はパケット通信登録応答を移動端末器２００に送信する（ステップ３３３）。
【００７０】
パケット通信登録応答を受信した移動端末器２００は基地局２０１からの仮想回線接続要求を受信した後（ステップ３３４）、仮想回線接続応答を基地局２０１に対して発信し（ステップ３３５）、回線を確立する。
【００７１】
回線確立後、基地局２０１はサーバに対して移動端末器２００との接続完了を通知する（ステップ３３２）。
【００７２】
次いで、サーバは、基地局１０１に対して、移動端末器２００との接続が完了した旨を通知する（ステップ３１６）。
【００７３】
第１ユーザーの移動端末器１００は、基地局１０１から、移動端末器２００との接続が完了した旨の通知を受信した後（ステップ３１０）、移動端末器２００との文字通話を開始する。
【００７４】
図４は、本実施形態に係るリダイヤル装置によりリダイヤルを行った後にパケット通信チャネルを切断する場合の第１ユーザーの移動端末器１００、移動端末器１００の基地局１０１、サーバ、第２ユーザーの移動端末器２００、第２ユーザーの移動端末器の基地局２０１における動作の進行を時系列的に示すタイミングチャートである。
【００７５】
図４においては、図３に示したステップ３０１からステップ３０８までのステップと同様のステップが実行される。すなわち、図３におけるステップ３０１、３０２、３０３、３０４、３０５、３１１、３１２、３０６、３０７、３１３、３１４、３０８は図４におけるステップ４０１、４０２、４０３、４０４、４０５、４２１、４２２、４０６、４０７、４２３、４２４、４０８にそれぞれ対応する。
【００７６】
リダイヤルによる実際のパケット通信量Ｎが限度パケット通信量ｎを超えない範囲におけるＭ（Ｍは正の整数）回目かのリダイヤルを行っても、移動端末器２００が通話中である場合（ステップ４０９、４２５、４２６、４１０）、（Ｍ＋１）回目のリダイヤルによって、パケット通信量Ｎが第１ユーザーが設定した、あるいは、予め設定されていた限度パケット通信量ｎに達するものとする。
【００７７】
移動端末器１００及び基地局１０１は移動端末器２００への接続を試みるが（ステップ４１１、４２７）、サーバから基地局１０１へ移動端末器２００は文字通話中である旨が通知される（ステップ４２８）。
【００７８】
基地局１０１は、さらに、その旨を移動端末器１００に送信する（ステップ４１２）。
【００７９】
この時点においては、移動端末器１００は既に自動リダイヤルの限度パケット通信量であるｎまでリダイヤルを実行してしまっている。このため、移動端末器１００は基地局１０１との間で確立しているパケット通信チャネルを切断するために、パケット通信登録解除要求を基地局１０１に送信し（ステップ４１３）、基地局１０１は移動端末器１００へ向けてパケット通信登録解除応答を送信する（ステップ４１４）。
【００８０】
これにより、回線が切断され、全行程が終了する。
【００８１】
以上説明した本実施形態に係るリダイヤル装置によれば、次のような効果を得ることができる。
【００８２】
第１の効果は、パケット通信機能を有し、文字通話（チャット）可能な移動端末同士において、文字通話を開始すべく発呼した相手が通話中であった場合、設定したパケット通信量を越えるまで自動的にリダイヤルを行い、ユーザーは自ら再発呼するなく、より簡略な操作で、かつ、短時間で文字通話開始作業に移行でき、さらに、通信料も削減できることである。
【００８３】
これは、文字通話を開始すべく発呼した相手が通話中であった場合、文字通話機能制御部１３１が、文字通話開始のために確立されているパケット通信チャネルを切断せずに確保したままの状態にしておき、その回線によって自動リダイヤルを行うため、新たに回線を接続するために要する基地局１０１とのデータ送受信分を削減できるからである。
【００８４】
また、ユーザーにとっては、移動端末器１００が自動的にリダイヤルを行うので、ユーザーはリダイヤルにかかる限度パケット通信量ｎを設定するだけで良く、文字通話を開始するために発呼しなおす作業を簡略化できるという利点がある。
【００８５】
図５は、本発明の第２の実施形態に係るリダイヤル装置を組み込んだ移動端末器の動作を示すフローチャートである。
【００８６】
本実施形態に係るリダイヤル装置は、文字通話を開始する相手が通話中であることが判明する以前に、相手方が通話可能圏外もしくは端末電源ＯＦＦであることが判明した場合に応用される。
【００８７】
なお、本実施形態に係るリダイヤル装置を組み込んだ移動端末器は、図１に示した第１の実施形態に係るリダイヤル装置を組み込んだ移動端末器と同一の構成を有している。
【００８８】
先ず、図２に示したステップＡ１、Ａ２、Ａ３、Ａ４と同様のステップＢ１、Ｂ２、Ｂ３、Ｂ４が実行される。
【００８９】
次いで、第２ユーザーの移動端末器が通話可能圏内にあるか、あるいは、通話可能圏外にあるかもしくは電源オフであるかが判定される（ステップＢ５）。
【００９０】
第２ユーザーの移動端末器が通話可能圏内にある場合には、図２に示したステップＡ５、Ａ６、Ａ７、Ａ８、Ａ９、Ａ１０、Ａ１１、Ａ１２、Ａ１３と同様のステップＢ６、Ｂ７、Ｂ８、Ｂ９、Ｂ１７、Ｂ１８、Ｂ１９、Ｂ２０、Ｂ２１が実施される。
【００９１】
一方、第２ユーザーの移動端末器が通話可能圏外にあり、もしくは、電源ＯＦＦの状態であった場合には、文字通話機能制御部１３１は、ユーザーにリダイヤルを設定するか否かを問う（ステップＢ１０）。
【００９２】
リダイヤルを設定しない場合には（ステップＢ１０のＮＯ）、第１ユーザーの移動端末器の文字通話機能制御部１３１は網との間に確立されているパケット通信チャネルを切断する（ステップＢ１９）。
【００９３】
リダイヤルを設定する場合には（ステップＢ１０のＹＥＳ）、リダイヤルによって消費可能な限度パケット通信量ｍを設定した後（ステップＢ１１）、第２ユーザー２の移動端末器を呼び出す（ステップＢ１２）。
【００９４】
次いで、第２ユーザーの移動端末器が通話可能圏内にあるか、あるいは、通話可能圏外にあるかもしくは電源オフであるかが判定される（ステップＢ１３）。
【００９５】
第２ユーザーの移動端末器が通話可能圏内であった場合は、ステップＢ６へと進み（ステップＢ１６）、ステップＢ６以降のステップが実施される。
【００９６】
逆に、第２ユーザーの移動端末器が圏外であった場合には（ステップＢ１３）、文字通話機能制御部１３１はリダイヤルにより消費したパケット通信量Ｍが限度パケット通信量ｍを超えているか否かが判定される（ステップＢ１４）。
【００９７】
リダイヤルにより消費したパケット通信量Ｍが限度パケット通信量ｍを超えていない場合には（Ｍ＜ｍ）、第２ユーザーの移動端末器の呼び出し（ステップＢ１２）と第２ユーザーの移動端末器が通話可能圏内または圏外の何れにいるかの判定（ステップＢ１３）とが繰り返し実行される。
【００９８】
リダイヤルにより消費したパケット通信量Ｍが限度パケット通信量ｍと同じである場合、または、限度パケット通信量ｍを超えている場合には（Ｍ≧ｍ）、第１ユーザーの移動端末器は既に確立されているパケット通信チャネルを切断する（ステップＢ１５）。
【００９９】
次いで、第１ユーザーの移動端末器は第１ユーザーにその結果を通知し、一連の動作を終了する。
【０１００】
図６は、本実施形態に係るリダイヤル装置により、リダイヤルを行う場合の第１ユーザーの移動端末器１００、移動端末器１００の基地局１０１、サーバ、第２ユーザーの移動端末器２００、第２ユーザーの移動端末器の基地局２０１における動作の進行を時系列的に示すタイミングチャートである。
【０１０１】
図６においては、図４に示したステップ４０１からステップ４２１までのステップと同様のステップが実行される。すなわち、図６におけるステップ６０１、６０２、６０３、６０４、６０５、６２１は図４におけるステップ４０１、４０２、４０３、４０４、４０５、４２１にそれぞれ対応する。
【０１０２】
この後、サーバは基地局２０１との接続を行い（ステップ６３１）、移動端末器２００と接続するために、基地局２０１と移動端末器２００と間の回線を接続させようとする。
【０１０３】
これにより、基地局２０１は移動端末器２００をページングするが（ステップ６４１）、移動端末器２００は通話可能圏外にいるか、もしくは、電源ＯＦＦしているため、ページングに対する返答が帰ってこない。このため、サーバは、移動端末器２００からの応答が来ない旨を基地局１０１に通知し（ステップ６２２）、基地局１０１が同様の通知を移動端末器１００に送信する（ステップ６０６）。
【０１０４】
この通知を受信した後、第１ユーザーは自動リダイヤルの限度パケット通信量ｍを設定し、１回目のリダイヤルを行い、第２ユーザーの移動端末器２００を呼び出す（ステップ６０７）。
【０１０５】
ステップ３２１、６３１、６４１と同様のステップ６２３、６３２、６４２が実施されるが、移動端末器２００はなおも通話可能圏外にいるか、もしくは、電源ＯＦＦしているため、移動端末器２００からの応答が来ない旨の通知が基地局１０１を介してサーバから移動端末器１００に送信される（ステップ６２４、６０８）。
【０１０６】
リダイヤルによる実際のパケット通信量Ｍが限度パケット通信量ｍを超えない範囲におけるＬ（Ｌは正の整数）回目かのリダイヤルを行っても、移動端末器２００が通話可能圏外にいるか、もしくは、電源ＯＦＦの状態である場合（ステップ６０９、６２５、６３３、６４２、６２４、６０８）、（Ｌ＋１）回目のリダイヤルによって、パケット通信量Ｍが第１ユーザーが設定した、あるいは、予め設定されていた限度パケット通信量ｍに達するものとする。
【０１０７】
移動端末器１００及び基地局１０１は移動端末器２００への接続を試みるが（ステップ６１１、６２７、６３４、６４４）、サーバから基地局１０１へ移動端末器２００は通話可能圏外にいるか、もしくは、電源ＯＦＦの状態である旨が通知される（ステップ６２８）。
【０１０８】
次いで、基地局１０１はその旨を移動端末器１００に通知する（ステップ６１２）。
【０１０９】
この時点においては、移動端末器１００は既に自動リダイヤルの限度パケット通信量であるｍまでリダイヤルを実行してしまっている。このため、移動端末器１００は基地局１０１との間で確立しているパケット通信チャネルを切断するために、パケット通信登録解除要求を基地局１０１に送信し（ステップ６１３）、基地局１０１は移動端末器１００へ向けてパケット通信登録解除応答を送信する（ステップ６１４）。
【０１１０】
これにより、回線が切断され、全行程が終了する。
【０１１１】
なお、リダイヤルのパケット通信量Ｍが限度パケット通信量ｍを超えていない場合に（Ｍ＜ｍ）、移動端末器２００が通話可能圏外から通話可能圏内へ復帰したときまたは電源オンになったときには、図３に示したステップ３０５以降のステップが実施される。
【０１１２】
図７は、本発明の第３の実施形態に係るリダイヤル装置を組み込んだ移動端末器の構成を示すブロック図である。本実施形態に係るリダイヤル装置は、パケット通信機能を有する移動端末器に組み込んで用いられる。
【０１１３】
図７に示すように、本実施形態に係るリダイヤル装置を組み込んだ移動端末器７００は、網とデータの送受信を行うアンテナ７１０と、アンテナ７１０を介して送信する、あるいは、受信されたデータを変調する変調部７２０と、リダイヤル装置の作動を制御する制御部７３０と、アドレス帳を記憶するデータ貯蓄部７４０と、制御部７３０からの信号に応じて音声を発し、ユーザーに通知を行う呼出し部７５０と、ユーザーが制御部７３０にデータを入力するための操作部７６０と、操作部７６０から打ち込んだデータや受信したデータを表示する表示部７７０と、を備えている。
【０１１４】
さらに、制御部７３０は、リダイヤル装置が組み込まれている移動端末器７００の文字通話を制御する文字通話機能制御部７３１と、自動リダイヤル機能を制御するとともに、リダイヤル時に通信するパケット量及びリダイヤルの間隔に関するデータを保存するリダイヤル機能設定部７３２と、リダイヤルの回数とリダイヤル間の間隔とをカウントするリダイヤル回数カウンタ７３３と、を備えている。
【０１１５】
この制御部７３０が本実施形態に係るリダイヤル装置を構成している。
【０１１６】
すなわち、本実施形態に係るリダイヤル装置を組み込んだ移動端末器７００は、図１に示した第１の実施形態に係るリダイヤル装置を組み込んだ移動端末器１００と比較して、パケット量カウンタ１３３に代えて、リダイヤル回数カウンタ７３３を備えている点において異なっている。
【０１１７】
第１の実施形態に係るリダイヤル装置のリダイヤル機能は、ユーザーが設定したパケット通信量または予め設定されているパケット通信量を越えるまでリダイヤルを繰り返す仕様であった。これに対して、本実施形態に係るリダイヤル装置においては、ユーザーが実際のリダイヤル回数及びリダイヤル間の間隔を指定し、リダイヤル回数カウンタ７３３がカウントしたリダイヤル回数またはリダイヤルの間隔の時間がユーザーの指定したリダイヤル回数または間隔時間を越えるまでリダイヤルするように構成されている。
【０１１８】
その他の動作は第１または第２の実施形態に係るリダイヤル装置の動作と全く同一である。
【０１１９】
上述の第１乃至第３の実施形態に係るリダイヤル装置を構成する制御部１３０及び７３０の動作は、コンピュータが読み取り可能な言語で記述されたコンピュータプログラムによっても実行可能である。
【０１２０】
コンピュータプログラムにより制御部１３０または７３０を動作させる場合には、例えば、制御部１３０または７３０にプログラム記憶用のメモリーを設け、そのメモリーにコンピュータプログラムを格納する。制御部１３０または７３０の文字通話機能制御部１３１または７３１はメモリーからそのコンピュータプログラムを読み出すことにより、そのコンピュータプログラムに従って、上述のような動作を実行する。
【０１２１】
さらには、そのようなコンピュータプログラムを格納した記憶媒体を制御部１３０または７３０にセットすることにより、文字通話機能制御部１３１または７３１がその記憶媒体からそのコンピュータプログラムを読み出し、そのコンピュータプログラムに従って、上述のような動作を実行するようにすることも可能である。
【０１２２】
次いで、上述の実施形態に係るリダイヤル装置を動作させるためのコンピュータプログラムを格納した記憶媒体について以下に説明する。
【０１２３】
上述の文字通話機能制御部１３１または７３１の機能は各種のコマンドを含むプログラムとして実現可能であり、コンピュータによって読み取り可能な記憶媒体を介して提供することが可能である。
【０１２４】
本明細書において、「記憶媒体」の語は、データを記録することができるあらゆる媒体を含むものとする。記憶媒体の各種例を図８に示す。
【０１２５】
記憶媒体としては、例えば、ＣＤ−ＲＯＭ（Ｃｏｍｐａｃｔ  Ｄｉｓｋ−ＲＯＭ）やＰＤなどのディスク型の記憶媒体４０１、磁気テープ、ＭＯ（Ｍａｇｎｅｔｏ  Ｏｐｔｉｃａｌ  Ｄｉｓｋ）、ＤＶＤ−ＲＯＭ（Ｄｉｇｉｔａｌ  Ｖｉｄｅｏ  Ｄｉｓｋ−Ｒｅａｄ  Ｏｎｌｙ  Ｍｅｍｏｒｙ）、ＤＶＤ−ＲＡＭ（Ｄｉｇｉｔａｌ  Ｖｉｄｅｏ  Ｄｉｓｋ−Ｒａｎｄｏｍ  Ａｃｃｅｓｓ  Ｍｅｍｏｒｙ）、フロッピーディスク４０２、ＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリーチップ４０４、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、スマートメディア（登録商標）、フラッシュメモリー、コンパクトフラッシュカードなどの書き換え可能なカード型ＲＯＭ４０５、ハードディスク４０３があり、その他プログラムの格納に適していれば、いかなる手段も用いることができる。
【０１２６】
この記憶媒体は、コンピュータが読み取り可能なプログラム用言語を用いて上述のマイクロコンピュータの各機能をプログラミングし、そのプログラムをプログラムの記録が可能な上記の記憶媒体に記録することにより、作成することができる。
【０１２７】
あるいは、記憶媒体として、サーバーに備え付けられたハードディスクを用いることも可能である。
【０１２８】
また、本発明に係る記憶媒体は、上述のコンピュータプログラムを上記のような記憶媒体に格納し、ネットワークを介して、そのコンピュータプログラムを他のコンピュータにより読み取ることによっても、作成可能である。
【０１２９】
コンピュータ４００としては、パーソナルコンピュータ、デスクトップ型コンピュータ、ノート式コンピュータ、モバイルコンピュータ、ラップトップ式コンピュータ、ポケットコンピュータ、サーバーコンピュータ、クライアントコンピュータ、ワークステーション、ホストコンピュータなどを用いることができる。
【０１３０】
【発明の効果】
以上説明した本発明によれば、パケット通信機能を有し、相手方との接続が完了してから行う文字通話（チャット）が可能な移動端末同士において、文字通話を開始すべく発呼した相手が通話中、通話可能圏外、または、電源オフであるため、相手方と接続して文字通話を開始することができない場合、文字通話開始のために確立されているパケット通信チャネルは切断されずに確保したままの状態にされる。このため、その回線によって、その後に自動リダイヤルを行うように設定しておくことにより、ユーザーは自ら再発呼するなく、文字通話を開始することが可能になる。
【０１３１】
さらに、新たに回線を接続するために要する網とのデータ送受信分を削減できるため、通信料も削減することができる
また、設定したパケット通信量を越えるまで自動リダイヤルが行われるように設定しておくことにより、ユーザーは自ら再発呼するなく、より簡略な操作で、かつ、短時間で文字通話開始作業に移行できる。この場合、ユーザーにとっては、移動端末器が自動的にリダイヤルを行うので、ユーザーはリダイヤルにかかる限度パケット通信量を設定するだけで良く、文字通話を開始するために発呼しなおす作業を簡略化できるという利点がある。
【図面の簡単な説明】
【図１】本発明の第１の実施形態に係るリダイヤル装置を組み込んだ移動端末器の構造を示すブロック図である。
【図２】図１に示した移動端末器の動作を示すフローチャートである。
【図３】図１に示した移動端末器、基地局、サーバ、相手方の移動端末器それぞれの動作を時系列的に示すタイミングチャートである。
【図４】図１に示した移動端末器、基地局、サーバ、相手方の移動端末器それぞれの動作を時系列的に示すタイミングチャートである。
【図５】本発明の第２の実施形態に係るリダイヤル装置を組み込んだ移動端末器の動作を示すフローチャートである。
【図６】本発明の第２の実施形態に係るリダイヤル装置を組み込んだ移動端末器、基地局、サーバ、相手方の移動端末器それぞれの動作を時系列的に示すタイミングチャートである。
【図７】本発明の第３の実施形態に係るリダイヤル装置を組み込んだ移動端末器の構造を示すブロック図である。
【図８】本発明に係るリダイヤル装置を作動させるためのコンピュータプログラムを格納した記憶媒体の例を示す概略図である。
【符号の説明】
１００  第１の実施形態に係るリダイヤル装置を組み込んだ移動端末器
７００  第３の実施形態に係るリダイヤル装置を組み込んだ移動端末器
１１０、７１０  アンテナ
１２０、７２０  変調部
１３０、７３０  制御部
１３１、７３１  文字通話機能制御部
１３２、７３２  リダイヤル機能設定部
１３３  パケット量カウンタ
１４０、７４０  データ貯蓄部
１５０、７５０  呼び出し部
１６０、７６０  操作部
１７０、７７０  表示部
７３３  リダイヤル回数カウンタ
【図１】
0003730881.tif 000002
【図２】
0003730881.tif 000003
【図３】
0003730881.tif 000004
【図４】
0003730881.tif 000005
【図５】
0003730881.tif 000006
【図６】
0003730881.tif 000007
【図７】
0003730881.tif 000008
【図８】
0003730881.tif 000009